(57)【要約】【課題】簡単な構造で設置時における傾きの発生を抑制することができる換気扇の固定構造を得ること。【解決手段】換気扇の固定構造は、空気を捕集するフード１と、フード１の上面１ａ上に設けられた排気送風機２と、を備える換気扇本体２０と、Ｌ型形状を有して換気扇本体２０を壁面に固定するための取り付け部品と、を有する。また、排気送風機２の上面における壁面側の一端辺に隣接する領域に、取り付け部品のＬ型形状における一端側の部分である第１取り付け部が固定され、排気送風機２の外殻を構成する背面板におけるフード１の上面１ａから上方に突出した突出部２ｅと、取り付け部品のＬ型形状における他端側である第２取り付け部と、が締結部材によって共締めされて壁面に固定されている。【選択図】図１
2018179414.tif 000002
【特許請求の範囲】
【請求項１】
空気を捕集するフードと、前記フードの上面上に設けられた排気送風機と、を備える換気扇本体と、
Ｌ型形状を有して前記換気扇本体を壁面に固定するための取り付け部品と、
を有し、
前記排気送風機の上面における前記壁面側の一端辺に隣接する領域に、前記取り付け部品の前記Ｌ型形状における一端側の部分である第１取り付け部が固定され、
前記排気送風機の外殻を構成する背面板における前記フードの上面から上方に突出した突出部と、前記取り付け部品の前記Ｌ型形状における他端側である第２取り付け部と、が締結部材によって共締めされて前記壁面に固定されていること、
を特徴とする換気扇の固定構造。
【請求項２】
前記取り付け部品は、長径方向が前記突出部の長手方向に沿った方向とされて前記締結部材が挿通される長孔が前記第２取り付け部に形成されていること、
を特徴とする請求項１に記載の換気扇の固定構造。
【請求項３】
前記取り付け部品は、前記Ｌ型形状の折り曲げ部の強度を補強する強度補強部を備えること、
を特徴とする請求項１または２に記載の換気扇の固定構造。
【請求項４】
前記突出部は、前記背面板における前記フードの上面よりも下方の領域と同じ幅で設けられており、
前記取り付け部品が、前記突出部において、前記突出部の長手方向における左側端部および右側端部に取り付けられていること、
を特徴とする請求項１から３のいずれか１つに記載の換気扇の固定構造。
【請求項５】
空気を捕集するフードと、前記フードの上面上に設けられた排気送風機と、を備える換気扇本体と、
Ｌ型形状を有して前記換気扇本体を壁面に固定するための取り付け部品と、
を有し、
前記排気送風機は、厚み方向に貫通する排気送風機側取り付け孔が形成されて前記排気送風機の外殻を構成する背面板における前記フードの上面から上方に突出する突出部を備え、
前記取り付け部品は、
前記Ｌ型形状における一端側の部分である第１取り付け部が、前記排気送風機の上面における背面側の一端辺に隣接する領域に前記排気送風機の上面に沿って固定され、
前記Ｌ型形状における他端側である第２取り付け部が、排気送風機側取り付け孔に対応する位置において厚み方向に貫通する金具側取り付け孔を備えて前記突出部に沿って配置されていること、
を特徴とする換気扇。
【請求項６】
前記金具側取り付け孔は、長径方向が前記突出部の長手方向に沿った方向とされた長孔であること、
を特徴とする請求項５に記載の換気扇。
【請求項７】
前記取り付け部品は、前記Ｌ型形状の折り曲げ部の強度を補強する強度補強部を備えること、
を特徴とする請求項５または６に記載の換気扇。
【請求項８】
前記突出部は、前記背面板における前記フードの上面よりも下方の領域と同じ幅で設けられており、
前記取り付け部品が、前記突出部において、前記突出部の長手方向における前記突出部の左側端部および右側端部に取り付けられていること、
を特徴とする請求項５から７のいずれか１つに記載の換気扇。
【発明の詳細な説明】
【技術分野】
【０００１】
本発明は、設置時における傾きの発生を抑制することができる換気扇の固定構造および換気扇に関する。
【背景技術】
【０００２】
従来、加熱調理台から立ち上る油煙および蒸気といった汚染空気を上方に設置されたフードで捕集し、排気送風機によりダクトを介して室外へ排気する換気扇が用いられている。一般的に、換気扇は、設置壁に設置されて使用される。
【０００３】
特許文献１には、フードの上方に設置される排気送風機の上側とＬ型の金具を係止し、換気扇が設置される設置壁にＬ型の金具を係止することによって、設置壁と換気扇との係止を行うことが開示されている。
【先行技術文献】
【特許文献】
【０００４】
【特許文献１】特開２０１５−６８５３６号公報
【発明の概要】
【発明が解決しようとする課題】
【０００５】
しかしながら、上記特許文献１に開示された換気扇と設置壁との係止方法では、換気扇の重量に伴う負荷がＬ型金具に集中するため、Ｌ型金具のみで換気扇の重量を支えることになり、換気扇の前面側が下側に垂れ下がり易くなる。特に換気扇の高さが小さい場合、換気扇の前面が下側に垂れ下がり易い。このため、上記の方法では、Ｌ型金具と換気扇との係止を強固にする必要があり、Ｌ型金具の数を増やす必要があり、換気扇を設置壁に設置するための構造が複雑になり、設置作業の負荷が大きくなる、という問題があった。
【０００６】
本発明は、上記に鑑みてなされたものであって、簡単な構造で設置時における傾きの発生を抑制することができる換気扇の固定構造を得ることを目的とする。
【課題を解決するための手段】
【０００７】
上述した課題を解決し、目的を達成するために、本発明にかかる換気扇の固定構造は、空気を捕集するフードと、フードの上面上に設けられた排気送風機と、を備える換気扇本体と、Ｌ型形状を有して換気扇本体を壁面に固定するための取り付け部品と、を有する。また、排気送風機の上面における壁面側の一端辺に隣接する領域に、取り付け部品のＬ型形状における一端側の部分である第１取り付け部が固定され、排気送風機の外殻を構成する背面板におけるフードの上面から上方に突出した突出部と、取り付け部品のＬ型形状における他端側である第２取り付け部と、が締結部材によって共締めされて壁面に固定されている。
【発明の効果】
【０００８】
本発明によれば、簡単な構造で設置時における傾きの発生を抑制することができる換気扇の固定構造が得られる、という効果を奏する。
【図面の簡単な説明】
【０００９】
【図１】本発明の実施の形態１にかかる換気扇の概略図であり、設置壁に取り付ける状態を示す斜視図
【図２】本発明の実施の形態１にかかる換気扇のＬ型金具を拡大して示す拡大斜視図
【図３】本発明の実施の形態１にかかる換気扇のＬ型金具が排気送風機に配置された状態を拡大して示す拡大斜視図
【図４】本発明の実施の形態１にかかる換気扇の設置壁への取り付け方法を説明する概略図であり、取り付け孔位置を示した斜視図
【図５】本発明の実施の形態１にかかる換気扇を示す概略図であり、前幕板および横幕板の設置位置を示す斜視図
【図６】フード幅寸法が６００ｍｍの換気扇の例を示す斜視図
【発明を実施するための形態】
【００１０】
以下に、本発明の実施の形態にかかる換気扇の固定構造および換気扇を図面に基づいて詳細に説明する。なお、この実施の形態によりこの発明が限定されるものではない。
【００１１】
実施の形態１．
図１は、本発明の実施の形態１にかかる換気扇１００の概略図であり、設置壁４に取り付ける状態を示す斜視図である。図２は、本発明の実施の形態１にかかる換気扇１００のＬ型金具を拡大して示す拡大斜視図である。図３は、本発明の実施の形態１にかかる換気扇１００のＬ型金具３が排気送風機２に配置された状態を拡大して示す拡大斜視図である。図４は、本発明の実施の形態１にかかる換気扇１００の設置壁４への取り付け方法を説明する概略図であり、取り付け孔位置を示した斜視図である。なお、図１においては、フード１の幅寸法であるフード幅寸法が７５０ｍｍの換気扇１００の例を示している。また、図１は、Ｌ型金具３を固定するネジが取り付けられていない状態を示している。
【００１２】
図１に示すように、本実施の形態１にかかる換気扇の固定構造では、換気扇１００が、図示しない加熱調理台の上方の位置に配置されて、室内の壁面である設置壁４に取り付けられる。換気扇１００は、調理時に加熱調理台から立ち上る油煙および水蒸気といった汚染空気を捕集するフード１と、フード１の上面１ａ上に設けられてフード１に汚染空気を収集する空気流を生成するとともにフード１に収集された汚染空気を図示しないダクトに送風する排気送風機２と、を備える換気扇本体２０と、Ｌ型形状を有して換気扇本体２０を壁面に固定するためのＬ型金具３と、を備える。
【００１３】
なお、本実施の形態１において、上下方向は、鉛直方向に沿った方向であり、図１におけるＹ方向に対応する。本実施の形態１において、左右方向は、水平方向に沿った方向であり、図１におけるＸ方向に対応する。
【００１４】
換気扇１００では、排気送風機２を動作させることによって、フード１の下方および周囲の空気がフード１の開放された下面から吸い込まれる。フード１に吸い込まれた空気は、フード１内および排気送風機２内を通ってダクト接続口７に流れ、図示しないダクトを流れて外部開口から屋外へと排出される。
【００１５】
フード１は、上面の一部および下面が開放され、側面が平行な箱体形状に形成されている。フード１には、排気送風機２が生成する空気流によって、フード１の下方および周囲の汚染空気がフード１の下面から流れ込む。フード１に流れ込んだ汚染空気は、開放された上面から排気送風機２に流れる。
【００１６】
排気送風機２の外殻は、背面側に配置された背面板２ａと、前面側に配置された前面板２ｂと、背面板２ａと前面板２ｂとの間における側方側に配置されて背面板２ａと前面板２ｂとに接続された２つの側面板２ｃと、背面板２ａと前面板２ｂとの間における上側に配置されて背面板２ａと前面板２ｂと２つの側面板２ｃとに接続された上面板２ｄと、により構成されており、側面が平行な箱体形状に形成されている。ここで、背面側は、設置壁４側の面であり、図１における右斜め上方側に対応する。前面側は、手前側の面であり、図１における左斜め下方側に対応する。また、左右方向は、背面板２ａにおける鉛直方向と垂直な方向である。
【００１７】
側面板２ｃと上面板２ｄとは折り曲げ加工によって、コの字形状を有する一体形状に形成されている。側面板２ｃおよび上面板２ｄと、背面板２ａとは、ネジまたはボルトといった締結部材によって係止されている。側面板２ｃおよび上面板２ｄと、前面板２ｂとは、ネジまたはボルトといった締結部材によって係止されている。
【００１８】
そして、図１および図３に示すように、前面視において背面板２ａにおける上部は、排気送風機２の外殻を構成する背面板２ａにおけるフード１の上面１ａから上方に突出した突出部２ｅとされている。すなわち、突出部２ｅは、背面板２ａの一部であって、背面板２ａが上面板２ｄから上方に延長されている部分であり、左右方向において背面板２ａにおける下部と同じ幅を有する。
【００１９】
図１および図３に示すように、前面視において突出部２ｅにおける左端部側の領域および右端部側の領域には、排気送風機側取り付け孔５ａが１つずつ形成されている。排気送風機側取り付け孔５ａは、突出部２ｅを厚み方向に貫通し、換気扇本体２０を設置壁４に取り付けるためのネジまたはボルトといった締結部材が挿通される円形の貫通孔である。排気送風機側取り付け孔５ａは、突出部２ｅにおいて、左右方向における端部に隣接する領域に設けられている。また、排気送風機側取り付け孔５ａは、Ｌ型金具３が排気送風機２に配置された際に、後述する排気送風機側取り付け孔に対応する位置に設けられている。
【００２０】
また、図１および図３に示すように、前面視において突出部２ｅにおける左端部側の領域および右端部側の領域には、長孔であるダルマ孔６が１つずつ形成されている。ダルマ孔６は、突出部２ｅを厚み方向に貫通し、換気扇本体２０を設置壁４に取り付けるためのネジまたはボルトといった締結部材が挿通される貫通孔である。ダルマ孔６は、長径方向が上下方向とされて形成されている。また、ダルマ孔６は、突出部２ｅにおいて、ネジを通す排気送風機側取り付け孔５ａよりも、左右方向における内側に配置されている。
【００２１】
フード１と排気送風機２とは、ネジまたはボルトといった締結部材によって係止されている。排気送風機２の外殻は、フード１に対して垂直に取り付けられている。すなわち、背面板２ａと前面板２ｂと側面板２ｃと上面板２ｄとは、フード１の上面１ａ上に、上面１ａに対して垂直に取り付けられている。
【００２２】
排気送風機２は、図示しないファンと、ファンを駆動するモーター１０を内部に備える。モーター１０は、排気送風機２の上部に設けられて一部が上面板２ｄから上方に突出している。また、排気送風機２は、排気送風機２の上部に設けられて一部が上面板２ｄから上方に突出したダクト接続口７を備える。ダクト接続口７は、建物の外壁部に設けられて建物の外部と連通する図示しない外部開口と、図示しないダクトによって接続される。
【００２３】
Ｌ型金具３は、金属材料からなり、換気扇本体２０を設置壁４に取り付けるための取り付け部品である。Ｌ型金具３は、図２および図３に示すように、Ｌ型形状において、Ｌ型形状の折り曲げ部をはさんで一端側の部分である第１取り付け部３ａと、Ｌ型形状の折り曲げ部をはさんで他端側の部分である第２取り付け部３ｂとを有し、断面Ｌ型形状に直角に屈曲した形状を有する。第１取り付け部３ａと第２取り付け部３ｂは、Ｌ型形状の折り曲げ部である屈曲部で接続されている。Ｌ型金具３は、排気送風機２における上側の左右両端部に配置される。すなわち、Ｌ型金具３は、上面板２ｄと突出部２ｅとが交差して接触してＬ型形状を構成する領域であって、排気送風機２の上面板２ｄおよび突出部２ｅにおける左右両端領域に配置される。
【００２４】
Ｌ型金具３の第１取り付け部３ａは、ネジまたはボルトといった締結部材によって排気送風機２の上面板２ｄに係止される。Ｌ型金具３の第１取り付け部３ａには、金具側取り付け孔として、Ｌ型金具３を排気送風機２の上面板２ｄに取り付けるためのネジを通す円形の貫通孔である金具側第１取り付け孔３ｃが２つ形成されている。金具側第１取り付け孔３ｃは、Ｌ型金具３を排気送風機２の上面板２ｄに取り付けるためのネジを通すための、排気送風機２の上面板２ｄに形成された図示しないネジ孔の位置に合わせて形成されている。
【００２５】
Ｌ型金具３の第２取り付け部３ｂは、ネジといった締結部材によって排気送風機２の背面板２ａとともに設置壁４に係止される。Ｌ型金具３の第２取り付け部３ｂには、金具側取り付け孔として、Ｌ型金具３を排気送風機２の背面板２ａとともに設置壁４に取り付けるためのネジを通す貫通孔である金具側第２取り付け孔３ｄが形成されている。金具側第２取り付け孔３ｄは、Ｌ型金具３を排気送風機２の背面板２ａとともに設置壁４に取り付けるためのネジを通すために突出部２ｅに形成された排気送風機側取り付け孔５ａの位置に合わせて、長径方向が左右方向とされて形成された長孔とされている。
【００２６】
突出部２ｅにおける左端部側の領域および右端部側の領域に設けられた排気送風機側取り付け孔５ａは、左右方向において非対称な位置に設けられる場合がある。この場合でも、金具側第２取り付け孔３ｄが長孔とされることで、突出部２ｅにおける左端部側の領域および右端部側の領域にＬ型金具３が配置される際に左端部側および右端部側の両方に使用することができる。これにより、突出部２ｅにおける左端部側の領域に配置されるＬ型金具３と、突出部２ｅにおける右端部側の領域に配置されるＬ型金具３と、を１つの部品として共通化することができ、部品作製の負荷の低減およびコストの低下を図ることができる。
【００２７】
また、Ｌ型金具３は、図２および図３に示すように、第１取り付け部３ａと第２取り付け部３ｂとの接続部である屈曲部の周囲には、三角リブ３ｅが設けられている。三角リブ３ｅは、Ｌ型金具３の側面視において三角形状を有しており、Ｌ型形状の折り曲げ部を挟んで隣り合う、第１取り付け部３ａから第２取り付け部３ｂにわたった領域に形成されている。三角リブ３ｅは、Ｌ型金具３における屈曲部の強度を補強する強度補強部として機能し、三角リブ３ｅを設けることによって、Ｌ型金具３における屈曲部の強度が向上する。これにより、屈曲部が所望の強度を有するＬ型金具３を得る場合に、Ｌ型金具３の板厚を薄くして、Ｌ型金具３の低重量化および低コスト化を図ることができる。
【００２８】
上述したように、換気扇１００が設置壁４に設置される際に、Ｌ型金具３の第１取り付け部３ａは、ネジによって排気送風機２の上面板２ｄに係止される。また、Ｌ型金具３の第２取り付け部３ｂは、ネジによって背面板２ａの突出部２ｅとともに設置壁４に係止される。すなわち、換気扇１００は、Ｌ型金具３の第２取り付け部３ｂと背面板２ａの突出部２ｅとが共に取り付けねじを用いて設置壁４に共締めされて設置壁４に固定される。これにより、換気扇１００は、設置壁４に設置された場合に、Ｌ型金具３に換気扇１００の重量に伴う負荷が集中することによって換気扇１００の前面側が下側に垂れ下がって傾くことを抑制および防止することができる。
【００２９】
換気扇が突出部２ｅを有さず、Ｌ型金具３の第２取り付け部３ｂと背面板２ａの突出部２ｅとが共に取り付けねじを用いて設置壁４に共締めされて設置壁４に固定されない場合には、Ｌ型金具３のみで換気扇の重量を支えることになる。この場合には、換気扇の形状、換気扇の重量、Ｌ型金具３の大きさといった条件によっては、Ｌ型金具３に換気扇の重量に伴う負荷が集中することによって換気扇本体２０の前面側が下側に垂れ下がって傾く、という問題が発生する場合がある。特に、換気扇の製品高さが小さい場合には、換気扇の前面側が下側に垂れ下がり易い。製品高さとは、設置壁４に設置した際の換気扇本体２０の高さ寸法であり、上下方向における換気扇本体２０の厚み寸法である。このため、Ｌ型金具３と換気扇との係止を強固にするために、Ｌ型金具３を大きくしたり、Ｌ型金具３の数を増やす必要が生じ、換気扇の重量のおよびコストが増加する。
【００３０】
一方、換気扇１００は、Ｌ型金具３の第２取り付け部３ｂと背面板２ａの突出部２ｅとが共に取り付けねじを用いて設置壁４に共締めされて設置壁４に固定される。Ｌ型金具３と背面板２ａが共締めされることにより、排気送風機２を構成する背面板２ａと、Ｌ型金具３とに、換気扇１００の重量に起因した負荷が分散し、換気扇１００の重量に起因した負荷がＬ型金具３に集中することが防止される。これにより、換気扇１００は、設置壁４に設置するための構造を複雑になることが無く、簡単な構成で、所望の姿勢、すなわちフード１の上面１ａおよび上面板２ｄが水平方向と平行な方向に保持された姿勢に保持され、換気扇本体２０の前面側の下側への垂れ下がりが抑制および防止される。
【００３１】
これにより、Ｌ型金具３のサイズダウン、Ｌ型金具３の軽量化、Ｌ型金具３と排気送風機２との係止の簡略化を図ることが可能となる。Ｌ型金具３と排気送風機２との係止の簡略化には、Ｌ型金具３と排気送風機２とを固定するためのネジの本数を少なくすること、ネジの大きさをサイズダウンすることが挙げられる。
【００３２】
また、Ｌ型金具３と共締めされる共締め部だけに突出部２ｅを設けるのではなく、左右方向における全幅において、上面板２ｄから上方に突出した突出部２ｅとされている。すなわち、突出部２ｅの左右方向の幅を、背面板２ａにおける上面板２ｄよりも下方と同じ幅として、背面板２ａにおける左右方向の全幅において突出部２ｅを設けることで、換気扇１００の重量に起因した負荷が突出部２ｅに分散する効果が向上する。これにより、突出部２ｅを背面板２ａにおける左右方向において共締め部のみに設けた場合に比べて、より強固に換気扇１００を設置壁４に固定することができる。また、一部のみが突出した形状の突出部２ｅを形成するための加工が不要であり背面板２ａの製造が容易となる。
【００３３】
また、Ｌ型金具３を排気送風機２の上面板２ｄおよび突出部２ｅにおける左右方向の両端側に配置することによって、換気扇１００の重量に起因した負荷が突出部２ｅに分散する効果を左右方向において均等に得られる。
【００３４】
つぎに、換気扇１００を設置壁４に設置する方法について、図４を参照して説明する。
換気扇１００を設置壁４に設置するには、まず、Ｌ型金具３を、たとえば図３に示す配置で換気扇本体２０における排気送風機２の上面板２ｄにねじ止めする。つぎに、設置壁４における既定の位置に、図示しないネジを仮固定する。つぎに、設置壁４に仮固定したネジをダルマ孔６に挿通して、換気扇１００をネジに引っ掛ける。これにより、換気扇１００が、設置壁４における既定の設置位置に配置される。
【００３５】
つぎに、２箇所に設けられた排気送風機側取り付け孔５ａと、２箇所に設けられたフード側取り付け孔５ｂとにおいて、ワッシャー２１およびネジ２２を用いて係止する。この際、排気送風機側取り付け孔５ａでは、Ｌ型金具３の第２取り付け部３ｂと排気送風機２の突出部２ｅとがネジ２２によって設置壁４に共締めされて固定される。また、ダクト接続口７は、建物の外壁部に設けられて建物の外部と連通する図示しない外部開口と、図示しないダクトによって接続される。以上の処理を行うことによって、換気扇１００を設置壁４に固定することができる。
【００３６】
上述した換気扇１００の設置壁４への設置作業においては、換気扇１００の設置壁４への固定構造が簡単であるため、設置作業が容易である。
【００３７】
また、換気扇１００は、図５に示すように排気送風機２および図示しないダクトの部分を隠すように、フード１の上面１ａ上においてフード１の前面１ｂ側に取り付けられる前幕板８と、フード１の上面１ａ上においてフード１の側面１ｃ側に取り付けられる横幕板９と、を備える。図５は、本発明の実施の形態１にかかる換気扇１００を示す概略図であり、前幕板８および横幕板９の設置位置を示す斜視図である。
【００３８】
ここで、前幕板８および横幕板９を設ける理由としては、換気扇本体を台所の壁に据付けただけでは、排気送風機２、ダクト接続口７およびダクト部分といった部品が外部に露出し、しかも金属素地のままであることが多いため意匠性および外観が悪く、これらを隠す必要があるからである。このため、フード１と同色、または、設置壁４もしくは吊り戸棚の意匠に合わせた色へ塗装などを施した前幕板８および横幕板９を、排気送風機２とダクト部分を隠すように取り付けることで、意匠性および外観、備品との調和などを確保することとしている。
【００３９】
また、排気送風機２は、前幕板８および横幕板９によって隠されるため、Ｌ型金具３の取り付けによって換気扇１００の意匠性が低下する問題は発生しない。
【００４０】
ところで、台所に取り付けられる換気扇はフード幅寸法が６００ｍｍの換気扇が主流ではあるが、火災予防条例準則によって、コンロの周りの構造は、コンロと可燃性の物品との間に１５センチメートル以上の距離を保つことと定められており、また、コンロの幅は６００ｍｍ以下と定められている。図６は、フード幅寸法が６００ｍｍの換気扇の例を示す斜視図である。
【００４１】
台所に取り付けられる換気扇はコンロを一様に覆う必要があるため、片側のみ可燃性の壁などがある場合はフード幅寸法が７５０ｍｍのフードを、両側に可燃性の壁などがある場合はフード幅寸法が９００ｍｍのフードの換気扇を選定する必要がある。このため、図６に示すような、フード幅寸法が６００ｍｍのフードの他に、図１に示すようなフード幅寸法が７５０ｍｍのもの、図示しないフード幅寸法が９００ｍｍのものを標準機種としていることが一般的である。
【００４２】
このようなフード１の幅の種類が複数種類ある中で、排気送風機２を共通化することによって、Ｌ型金具３も共通化でき、換気扇１００の取り付け方法も統一することができる。
【００４３】
また、排気送風機２を共通化しても、排気送風機２と横幕板９との間に、横幕板９を仮固定する横幕板固定金具を設けることで、フード幅寸法が７５０ｍｍのフード１、フード幅寸法が９００ｍｍのフード１でも、同様の形の横幕板９で対応することができる。なお、換気扇１００の排気送風機２を共通化する場合において、フード幅寸法は、６００ｍｍ、７５０ｍｍまたは９００ｍｍに限られるものではない。
【００４４】
幅の広い機種、すなわちフード幅寸法が７５０ｍｍである機種およびフード幅寸法が９００ｍｍである機種では、図１に示すように、排気送風機２の外殻を構成する前面板２ｂの面方向の外形形状を台形形状にしてフード１と係止することによって、換気扇の重量を削減してフード１の傾きを抑制する効果がある。また、側面板２ｃを長方形ではなく台形形状にすることで、換気扇の重量および材料費を削減することができる他に、角張る部位を少なくして、設置時における作業者の怪我を防ぐことができる。
【００４５】
なお、上記においては、フード１と排気送風機２とが締結部材によって係止される場合について説明したが、フード１と排気送風機２とが溶接によって係止されてもよい。また、上記においては、排気送風機２とＬ型金具３とが締結部材によって係止される場合について説明したが、排気送風機２とＬ型金具３とが溶接によって係止されてもよい。
【００４６】
なお、上記においては、側面板２ｃおよび上面板２ｄと、背面板２ａとが締結部材によって係止される場合について説明したが、側面板２ｃおよび上面板２ｄと、背面板２ａとが溶接によって係止されてもよい。また、上記においては、側面板２ｃおよび上面板２ｄと、前面板２ｂとが締結部材によって係止される場合について説明したが、側面板２ｃおよび上面板２ｄと、前面板２ｂとが溶接によって係止されてもよい。
【００４７】
上述したように、本実施の形態１にかかる換気扇の固定構造においては、Ｌ型金具３の第２取り付け部３ｂと背面板２ａの突出部２ｅとが共にネジ２２を用いて設置壁４に共締めされて設置壁４に固定される構造とされているので、Ｌ型金具３と排気送風機２を構成する背面板２ａに換気扇１００の重量に起因した負荷が分散するため、簡単な構造で換気扇１００の前面側の下側への垂れ下がりを抑制および防止することができる。これにより、本実施の形態１にかかる換気扇の固定構造では、Ｌ型金具３のサイズダウン、Ｌ型金具３の軽量化、Ｌ型金具３と排気送風機２との係止の簡略化を図ることが可能であり、換気扇１００の低重量化および低コスト化が可能である。また、本実施の形態１にかかる換気扇の固定構造においては、Ｌ型金具３の数量を増加させることなく、簡単な構造を有するため、設置壁４への換気扇１００の設置作業の負担を増加させること無く、換気扇１００を正しい姿勢で設置壁４に固定できる。
【００４８】
したがって、本実施の形態１にかかる換気扇の固定構造によれば、簡単かつ安価な構造で設置時における傾きの発生を抑制することができる。
【００４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５０】
１  フード、１ａ  上面、２  排気送風機、２ａ  背面板、２ｂ  前面板、２ｃ  側面板、２ｄ  上面板、２ｅ  突出部、３  Ｌ型金具、３ａ  第１取り付け部、３ｂ  第２取り付け部、３ｃ  金具側第１取り付け孔、３ｄ  金具側第２取り付け孔、３ｅ  三角リブ、４  設置壁、５ａ  排気送風機側取り付け孔、５ｂ  フード側取り付け孔、６  ダルマ孔、７  ダクト接続口、８  前幕板、９  横幕板、１０  モーター、２０  換気扇本体、２１  ワッシャー、２２  ネジ、１００  換気扇。
【図１】
2018179414.tif 000003
【図２】
2018179414.tif 000004
【図３】
2018179414.tif 000005
【図４】
2018179414.tif 000006
【図５】
2018179414.tif 000007
【図６】
2018179414.tif 000008